(57)【特許請求の範囲】
【請求項１】
設定したテーマに基づく案件データを収集した特許情報データを特許情報データベースに蓄積し、着色を付与したい内容判別文字を入力手段から入力し、前記内容判別文字に対して前記着色を付与して前記特許情報データを表示手段で表示する情報処理装置であって、
処理手段には、
前記案件データ別に、前記内容判別文字を含むか否かを検索する内容判別文字検索部と、
前記内容判別文字に対しては前記着色を付与してハイライト付与文字として表示するハイライト表示処理部と、
前記特許情報データに含まれている段落記号を判別する文章区切り判別部と、
前記段落記号で区分けされた文に前記ハイライト付与文字が含まれているか否かを判断する表示判断部と、
前記ハイライト付与文字が含まれていないと前記表示判断部で判断した前記段落記号で区分けされた前記文を非表示とする非表示設定部と、
前記非表示設定部で非表示とした前記文を、前記入力手段からの表示指示によって表示させる非表示解除部と
を有し、
前記表示手段では、
前記案件データ別に、
前記ハイライト付与文字が含まれていると前記表示判断部で判断した前記段落記号で区分けされた前記文を前記段落記号とともに表示し、
前記非表示設定部で前記文を非表示とする前記段落記号については、少なくとも一部の前記段落記号を表示し、
前記表示判断部で前記ハイライト付与文字が含まれていると判断した前記段落記号で区分けされた前記文では、前記ハイライト表示処理部で前記着色を付与された前記ハイライト付与文字を表示し、
前記非表示設定部で非表示とした前記文を、前記非表示解除部によって表示する
ことを特徴とする情報処理装置。
【請求項２】
前記入力手段では、
前記内容判別文字として、少なくとも第１内容判別文字と第２内容判別文字とを入力でき、
前記第１内容判別文字に対しては、前記着色として第１着色を指定でき、前記第２内容判別文字に対しては、前記着色として第２着色を指定でき、
前記ハイライト表示処理部では、
前記第１内容判別文字に対しては前記第１着色を付与した第１ハイライト付与文字とし、前記第２内容判別文字に対しては前記第２着色を付与した第２ハイライト付与文字とし、
前記非表示設定部では、
前記表示判断部において、前記第１ハイライト付与文字および前記第２ハイライト付与文字のいずれも含まれていないと判断した前記段落記号で区分けされた前記文を非表示とすることを特徴とする請求項１に記載の情報処理装置。
【請求項３】
前記入力手段では、
前記内容判別文字として、少なくとも第１内容判別文字と第２内容判別文字とを入力でき、
前記第１内容判別文字に対しては、前記着色として第１着色を指定でき、前記第２内容判別文字に対しては、前記着色として第２着色を指定でき、
前記ハイライト表示処理部では、
前記第１内容判別文字に対しては前記第１着色を付与した第１ハイライト付与文字とし、前記第２内容判別文字に対しては前記第２着色を付与した第２ハイライト付与文字とし、
前記非表示設定部では、
前記表示判断部において、前記第１ハイライト付与文字および前記第２ハイライト付与文字のいずれも含まれていないか、前記第１ハイライト付与文字および前記第２ハイライト付与文字のいずれかしか含まれていないと判断した前記段落記号で区分けされた前記文を非表示とすることを特徴とする請求項１に記載の情報処理装置。
【請求項４】
前記表示手段では、
前記表示判断部において、前記ハイライト付与文字が含まれていると判断した前記段落記号で区分けされた前記文を表示するとともに、表示する前記段落記号の前後いずれかの前記段落記号で区分けされた前記文を表示する
ことを特徴とする請求項１に記載の情報処理装置。
【請求項５】
句点によって分けられた文が複数含まれ、まとまった思想、感情、またはテーマを表現した文章データに対し、着色を付与したい内容判別文字を入力手段から入力し、前記内容判別文字に対して前記着色を付与して前記文章データを表示手段で表示する情報処理装置であって、
処理手段には、
前記文章データに前記内容判別文字を含むか否かを検索する内容判別文字検索部と、
前記内容判別文字に対しては前記着色を付与してハイライト付与文字として表示するハイライト表示処理部と、
前記文章データに含まれている、前記句点、改行、行間、および罫線のいずれかを文章区分として段落記号を付与する文章区切り部と、
前記文章区切り部で付与した前記段落記号を判別する文章区切り判別部と、
前記段落記号で区分けされた前記文に前記ハイライト付与文字が含まれているか否かを判断する表示判断部と、
前記ハイライト付与文字が含まれていないと前記表示判断部で判断した前記文章区分で区分けされた前記文を非表示とする非表示設定部と、
前記非表示設定部で非表示とした前記文を、前記入力手段からの表示指示によって表示させる非表示解除部と
を有し、
前記表示手段では、
前記ハイライト付与文字が含まれていると前記表示判断部で判断した前記文章区分で区分けされた前記文を前記段落記号とともに表示し、
前記非表示設定部で前記文を非表示とする前記段落記号については、少なくとも一部の前記段落記号を表示し、
前記表示判断部で前記ハイライト付与文字が含まれていると判断した前記段落記号で区分けされた前記文では、前記ハイライト表示処理部で前記着色を付与された前記ハイライト付与文字を表示し、
前記非表示設定部で非表示とした前記文を、前記非表示解除部によって表示する
ことを特徴とする情報処理装置。
【発明の詳細な説明】
【技術分野】
【０００１】
本発明は、テキストデータを自由選択的に表示処理が行える情報処理装置に関する。
【背景技術】
【０００２】
特許文献１は、特定のキーワードを含む箇所をセンテンス単位でハイライト表示することにより、訴訟において証拠として提出するべきか否かの分別作業の精度の向上及び効率化を図ることが可能となるシステムを提案している。
特許文献１では、検索されたキーワードを含むセンテンスを抽出するセンテンス抽出部と、センテンス抽出部により抽出されたセンテンスから抽出される特徴量により、訴訟との関連度合を示すスコアを算出するスコア算出部と、スコアに応じてセンテンスの強調の程度を変化させる強調部とを備えている。
【先行技術文献】
【特許文献】
【０００３】
【特許文献１】特開２０１４−７８０８１号公報
【発明の概要】
【発明が解決しようとする課題】
【０００４】
しかし、特許文献１では、膨大な文書情報の中から、強調された箇所を、例えばスクロール機能を使うか、ページ送りで見つけ出さなければならない。
【０００５】
本発明は、特に長文の特許情報データに対してチェックしたい文だけを確認できる情報処理装置を提供することを目的とする。
【課題を解決するための手段】
【０００６】
請求項１記載の本発明の情報処理装置は、設定したテーマに基づく案件データを収集した特許情報データを特許情報データベースに蓄積し、着色を付与したい内容判別文字を入力手段から入力し、前記内容判別文字に対して前記着色を付与して前記特許情報データを表示手段で表示する情報処理装置であって、処理手段には、前記案件データ別に、前記内容判別文字を含むか否かを検索する内容判別文字検索部と、前記内容判別文字に対しては前記着色を付与してハイライト付与文字として表示するハイライト表示処理部と、前記特許情報データに含まれている段落記号を判別する文章区切り判別部と、前記段落記号で区分けされた文に前記ハイライト付与文字が含まれているか否かを判断する表示判断部と、前記ハイライト付与文字が含まれていないと前記表示判断部で判断した前記段落記号で区分けされた前記文を非表示とする非表示設定部と、前記非表示設定部で非表示とした前記文を、前記入力手段からの表示指示によって表示させる非表示解除部とを有し、前記表示手段では、前記案件データ別に、前記ハイライト付与文字が含まれていると前記表示判断部で判断した前記段落記号で区分けされた前記文を前記段落記号とともに表示し、前記非表示設定部で前記文を非表示とする前記段落記号については、少なくとも一部の前記段落記号を表示し、前記表示判断部で前記ハイライト付与文字が含まれていると判断した前記段落記号で区分けされた前記文では、前記ハイライト表示処理部で前記着色を付与された前記ハイライト付与文字を表示し、前記非表示設定部で非表示とした前記文を、前記非表示解除部によって表示することを特徴とする。
請求項２記載の本発明は、請求項１に記載の情報処理装置において、前記入力手段では、前記内容判別文字として、少なくとも第１内容判別文字と第２内容判別文字とを入力でき、前記第１内容判別文字に対しては、前記着色として第１着色を指定でき、前記第２内容判別文字に対しては、前記着色として第２着色を指定でき、前記ハイライト表示処理部では、前記第１内容判別文字に対しては前記第１着色を付与した第１ハイライト付与文字とし、前記第２内容判別文字に対しては前記第２着色を付与した第２ハイライト付与文字とし、前記非表示設定部では、前記表示判断部において、前記第１ハイライト付与文字および前記第２ハイライト付与文字のいずれも含まれていないと判断した前記段落記号で区分けされた前記文を非表示とすることを特徴とする。
請求項３記載の本発明は、請求項１に記載の情報処理装置において、前記入力手段では、前記内容判別文字として、少なくとも第１内容判別文字と第２内容判別文字とを入力でき、前記第１内容判別文字に対しては、前記着色として第１着色を指定でき、前記第２内容判別文字に対しては、前記着色として第２着色を指定でき、前記ハイライト表示処理部では、前記第１内容判別文字に対しては前記第１着色を付与した第１ハイライト付与文字とし、前記第２内容判別文字に対しては前記第２着色を付与した第２ハイライト付与文字とし、前記非表示設定部では、前記表示判断部において、前記第１ハイライト付与文字および前記第２ハイライト付与文字のいずれも含まれていないか、前記第１ハイライト付与文字および前記第２ハイライト付与文字のいずれかしか含まれていないと判断した前記段落記号で区分けされた前記文を非表示とすることを特徴とする。
請求項４記載の本発明は、請求項１に記載の情報処理装置において、前記表示手段では、前記表示判断部において、前記ハイライト付与文字が含まれていると判断した前記段落記号で区分けされた前記文を表示するとともに、表示する前記段落記号の前後いずれかの前記段落記号で区分けされた前記文を表示することを特徴とする。
請求項５記載の本発明の情報処理装置は、句点によって分けられた文が複数含まれ、まとまった思想、感情、またはテーマを表現した文章データに対し、着色を付与したい内容判別文字を入力手段から入力し、前記内容判別文字に対して前記着色を付与して前記文章データを表示手段で表示する情報処理装置であって、処理手段には、前記文章データに前記内容判別文字を含むか否かを検索する内容判別文字検索部と、前記内容判別文字に対しては前記着色を付与してハイライト付与文字として表示するハイライト表示処理部と、前記文章データに含まれている、前記句点、改行、行間、および罫線のいずれかを文章区分として段落記号を付与する文章区切り部と、前記文章区切り部で付与した前記段落記号を判別する文章区切り判別部と、前記段落記号で区分けされた前記文に前記ハイライト付与文字が含まれているか否かを判断する表示判断部と、前記ハイライト付与文字が含まれていないと前記表示判断部で判断した前記文章区分で区分けされた前記文を非表示とする非表示設定部と、前記非表示設定部で非表示とした前記文を、前記入力手段からの表示指示によって表示させる非表示解除部とを有し、前記表示手段では、前記ハイライト付与文字が含まれていると前記表示判断部で判断した前記文章区分で区分けされた前記文を前記段落記号とともに表示し、前記非表示設定部で前記文を非表示とする前記段落記号については、少なくとも一部の前記段落記号を表示し、前記表示判断部で前記ハイライト付与文字が含まれていると判断した前記段落記号で区分けされた前記文では、前記ハイライト表示処理部で前記着色を付与された前記ハイライト付与文字を表示し、前記非表示設定部で非表示とした前記文を、前記非表示解除部によって表示することを特徴とする。
【発明の効果】
【０００７】
本発明によれば、ハイライト付与文字が含まれていない文を非表示とすることで、長文の情報データに対してチェックしたい文だけを確認できる。
【図面の簡単な説明】
【０００８】
【図１】本発明の一実施例における情報処理装置の機能実現のためのブロック図
【図２】同情報処理装置の処理流れを示すフローチャート
【図３】同情報処理装置の処理流れを示すフローチャート
【図４】同情報処理装置の表示手段で表示される画面
【図５】同情報処理装置の表示手段で表示される画面
【図６】同情報処理装置の表示手段で表示される画面
【図７】同情報処理装置の表示手段で表示される画面
【図８】同情報処理装置の表示手段で表示される画面
【図９】本発明の他の実施例における情報処理装置の機能実現のためのブロック図
【図１０】同情報処理装置の処理流れの一部を示すフローチャート
【発明を実施するための形態】
【０００９】
本発明の第１の実施の形態による情報処理装置は、処理手段には、案件データ別に、内容判別文字を含むか否かを検索する内容判別文字検索部と、内容判別文字に対しては着色を付与してハイライト付与文字として表示するハイライト表示処理部と、特許情報データに含まれている段落記号を判別する文章区切り判別部と、段落記号で区分けされた文にハイライト付与文字が含まれているか否かを判断する表示判断部と、ハイライト付与文字が含まれていないと表示判断部で判断した段落記号で区分けされた文を非表示とする非表示設定部と、非表示設定部で非表示とした文を、入力手段からの表示指示によって表示させる非表示解除部とを有し、表示手段では、案件データ別に、ハイライト付与文字が含まれていると表示判断部で判断した段落記号で区分けされた文を段落記号とともに表示し、非表示設定部で文を非表示とする段落記号については、少なくとも一部の段落記号を表示し、表示判断部でハイライト付与文字が含まれていると判断した段落記号で区分けされた文では、ハイライト表示処理部で着色を付与されたハイライト付与文字を表示し、非表示設定部で非表示とした文を、非表示解除部によって表示するものである。本実施の形態によれば、ハイライト付与文字によって、内容判別文字を把握できるとともに、ハイライト付与文字が含まれていない文を非表示としているので、特に長文の特許情報データに対してチェックしたい文だけを確認することができる。また、非表示とした文を表示させることで内容理解しやすい。
【００１０】
本発明の第２の実施の形態は、第１の実施の形態による情報処理装置において、入力手段では、内容判別文字として、少なくとも第１内容判別文字と第２内容判別文字とを入力でき、第１内容判別文字に対しては、着色として第１着色を指定でき、第２内容判別文字に対しては、着色として第２着色を指定でき、ハイライト表示処理部では、第１内容判別文字に対しては第１着色を付与した第１ハイライト付与文字とし、第２内容判別文字に対しては第２着色を付与した第２ハイライト付与文字とし、非表示設定部では、表示判断部において、第１ハイライト付与文字および第２ハイライト付与文字のいずれも含まれていないと判断した段落記号で区分けされた文を非表示とするものである。本実施の形態によれば、第１ハイライト付与文字および第２ハイライト付与文字の少なくとも一方が含まれる文を表示させることで、チェック漏れを防ぐことができる。
【００１１】
本発明の第３の実施の形態は、第１の実施の形態による情報処理装置において、入力手段では、内容判別文字として、少なくとも第１内容判別文字と第２内容判別文字とを入力でき、第１内容判別文字に対しては、着色として第１着色を指定でき、第２内容判別文字に対しては、着色として第２着色を指定でき、ハイライト表示処理部では、第１内容判別文字に対しては第１着色を付与した第１ハイライト付与文字とし、第２内容判別文字に対しては第２着色を付与した第２ハイライト付与文字とし、非表示設定部では、表示判断部において、第１ハイライト付与文字および第２ハイライト付与文字のいずれも含まれていないか、第１ハイライト付与文字および第２ハイライト付与文字のいずれかしか含まれていないと判断した段落記号で区分けされた文を非表示とするものである。本実施の形態によれば、第１ハイライト付与文字および第２ハイライト付与文字の双方が含まれる文を表示させることで、重要な文に限ったチェックができる。
【００１２】
本発明の第４の実施の形態は、第１の実施の形態による情報処理装置において、表示手段では、表示判断部において、ハイライト付与文字が含まれていると判断した段落記号で区分けされた文を表示するとともに、表示する段落記号の前後いずれかの段落記号で区分けされた文を表示するものである。本実施の形態によれば、表示する段落記号の前後いずれかの段落記号で区分けされた文を併せて表示することで内容理解しやすい。
【００１３】
本発明の第５の実施の形態による情報処理装置は、処理手段には、文章データに内容判別文字を含むか否かを検索する内容判別文字検索部と、内容判別文字に対しては着色を付与してハイライト付与文字として表示するハイライト表示処理部と、文章データに含まれている、句点、改行、行間、および罫線のいずれかを文章区分として段落記号を付与する文章区切り部と、文章区切り部で付与した段落記号を判別する文章区切り判別部と、段落記号で区分けされた文にハイライト付与文字が含まれているか否かを判断する表示判断部と、ハイライト付与文字が含まれていないと表示判断部で判断した文章区分で区分けされた文を非表示とする非表示設定部と、非表示設定部で非表示とした文を、入力手段からの表示指示によって表示させる非表示解除部とを有し、表示手段では、ハイライト付与文字が含まれていると表示判断部で判断した文章区分で区分けされた文を段落記号とともに表示し、非表示設定部で文を非表示とする段落記号については、少なくとも一部の段落記号を表示し、表示判断部でハイライト付与文字が含まれていると判断した段落記号で区分けされた文では、ハイライト表示処理部で着色を付与されたハイライト付与文字を表示し、非表示設定部で非表示とした文を、非表示解除部によって表示するものである。本実施の形態によれば、ハイライト付与文字が含まれていない文を非表示としているので、特に長文の文章データに対してチェックしたい文だけを確認することができる。また、非表示とした文を表示させることで内容理解しやすい。
【実施例】
【００１４】
以下に、本発明の情報処理装置の一実施例について説明する。
図１は本発明の一実施例における情報処理装置の機能実現のためのブロック図である。
本実施例における情報処理装置は、設定したテーマに基づく案件データを収集した特許情報データを情報データベース１０に蓄積し、着色を付与したい内容判別文字を入力手段２０から入力し、内容判別文字に対して着色を付与して特許情報データを表示手段３０で表示する。
情報データベース１０は、特許情報データベース１１、及び管理情報データベース１２を有している。
特許情報データベース１１には、設定したテーマに基づいて特許データ取込処理部１４にて収集した特許公報データを蓄積し、特許公報データ中の一部の書誌的データとともに利用者が入力する評価情報を含む利用者特有の追加情報を蓄積し、管理情報データベース１２には、管理情報入力手段１５によって、設定したテーマに関する情報、例えば、調査テーマ名、登録日、調査内容、担当部門、調査担当者、検索条件などを蓄積している。
入力手段２０では、内容判別文字として、少なくとも第１内容判別文字と第２内容判別文字とを入力でき、第１内容判別文字に対しては、着色として第１着色を指定でき、第２内容判別文字に対しては、着色として第２着色を指定できる。すなわち、入力手段２０では、異なる条件として複数のハイライト文字を入力でき、更に異なる条件別に異なる着色を指定できる。
入力手段２０で入力又は指定された内容判別文字および着色は、論理式データとして特許情報データベース１１に登録される。
【００１５】
本実施例における情報処理装置は処理手段４０を備えている。処理手段４０には、内容判別文字検索部４１、ハイライト表示処理部４２、文章区切り判別部４３、表示判断部４４、非表示設定部４５、および非表示解除部４６を有している。
内容判別文字検索部４１は、特許情報データベース１１から案件データを抽出し、案件データ別に、内容判別文字を含むか否かを検索する。
ハイライト表示処理部４２は、特許情報データベース１１から案件データおよび論理式データを抽出し、第１内容判別文字に対しては第１着色を付与して第１ハイライト付与文字とし、第２内容判別文字に対しては第２着色を付与して第２ハイライト付与文字として表示処理する。
文章区切り判別部４３は、特許情報データベース１１から案件データを抽出し、特許情報データに含まれている段落記号を判別する。なお、段落記号は、明細書に付与される「段落番号」や、「技術分野」、「背景技術」、「発明が解決しようとする課題」、「課題を解決するための手段」、「発明の効果」などの見出しを意味する。
表示判断部４４は、段落記号で区分けされた文にハイライト付与文字が含まれているか否かを判断する。
【００１６】
非表示設定部４５は、ハイライト付与文字が含まれていないと表示判断部４４で判断した段落記号で区分けされた文を非表示設定する。なお、第１ハイライト付与文字および第２ハイライト付与文字がある場合には、非表示設定部４５では、第１ハイライト付与文字および第２ハイライト付与文字のいずれも含まれていないと判断した段落記号で区分けされた文を非表示とすることで、少なくとも一方が含まれる文を表示させることができる。
また、非表示設定部４５では、第１ハイライト付与文字および第２ハイライト付与文字のいずれも含まれていないか、第１ハイライト付与文字および第２ハイライト付与文字のいずれかしか含まれていないと判断した段落記号で区分けされた文を非表示とすることで、第１ハイライト付与文字および第２ハイライト付与文字の双方が含まれる文を表示させることができる。
【００１７】
非表示解除部４６は、非表示設定部４５で非表示とした文を、入力手段２０からの表示指示によって表示させる。なお、入力手段２０からの表示指示は、非表示文を一括して表示させてもよいが、非表示設定された段落記号を指示することで、段落記号単位で表示させてもよい。また、表示判断部４４でハイライト付与文字が含まれていると判断されて表示されている段落記号を指示することで、この表示されている段落記号の前後いずれかまたは前後いずれのもの、非表示設定された段落記号を表示させてもよい。また、表示判断部４４でハイライト付与文字が含まれていると判断されて表示されている２つの段落記号を指示することで、表示されている２つの段落記号の間の、非表示設定された段落記号を表示させてもよい。
【００１８】
図２および図３は本実施例における情報処理装置の処理流れを示すフローチャート、図４から図７は本実施例における情報処理装置の表示手段で表示される画面である。
まず、表示手段３０には、調査テーマ一覧画面が表示される（ステップ１）。調査テーマ一覧画面に表示されるデータは、管理情報データベース１２から抽出される。
図４は、ステップ１における調査テーマ一覧画面である。
図４に示す調査テーマ一覧画面において、入力手段２０によって調査テーマを指定する（ステップ２）。
ステップ２において調査テーマが指定されると、表示手段３０には特許抄録／一覧画面が表示される（ステップ３）。特許抄録／一覧画面に表示されるデータは、特許情報データベース１１から抽出される。
図５は、ステップ３における特許抄録／一覧画面である。
なお、ステップ１およびステップ２の代わりに、特許検索画面を表示し（ステップ４）、検索条件を入力し（ステップ５）、検索の実行（ステップ６）を行うことで、表示手段３０には特許抄録／一覧画面が表示される（ステップ３）。
図５に示す特許抄録／一覧画面において、入力手段２０によって案件を指定すると（ステップ７）、その案件についての特許明細書が画面表示される（ステップ８）。
【００１９】
ステップ９においてハイライトビューが指定されると、表示手段３０には条件入力画面が表示される（ステップ１０）。
図６は、ステップ１０における条件入力画面である。
図６に示す条件入力画面において、入力手段２０によって内容判別文字を入力する（ステップ１１）。
図６では、内容判別文字として４つの条件を入力した状態を示している。
図６では、「集合Ｎｏ．０１」として用語指定欄８ａに「２Ｃ００２」と「２Ｃ０７４」とが入力され、「集合Ｎｏ．０２」として用語指定欄８ａに「方向性」と「目標方向」と「打球方向」とが入力され、「集合Ｎｏ．０３」として用語指定欄８ａに「直進」が入力され、「集合Ｎｏ．０４」として用語指定欄８ａに「距離感」と「方向距離」と「距離精度」と「距離感覚」とが入力されている。
例えば、「集合Ｎｏ．０２」が第１内容判別文字であり、「集合Ｎｏ．０３」が第２内容判別文字である。例示するように、内容判別文字は、それぞれが複数の異なる文字を入力できる。
ステップ１１において、第１内容判別文字として「集合Ｎｏ．０２」の用語指定欄８ａに「方向性」を入力する。
ステップ１２において、第１内容判別文字としての「集合Ｎｏ．０２」に他の文字を入力する場合には、ステップ１１に戻って「目標方向」を入力する。
ステップ１２において、第１内容判別文字として「集合Ｎｏ．０２」に他の文字を入力しない場合には、ハイライト色（着色）を指定する（ステップ１３）。
ハイライト色（着色）の指定は、図６に示す色選択欄８ｂで行う。色選択欄８ｂは、プルダウンによって複数色が表示され、いずれかの着色を選択する。色選択欄８ｂは、条件式毎に設けられている。
【００２０】
また、ステップ１４において、選択文字に対する項目を指定する。指定項目として「発明の名称」、「要約」、「請求の範囲」、「利用分野」、及び「明細書」から選択することができる。
指定項目での指定は、図６に示す指定項目欄８ｃで行う。指定項目欄８ｃは、プルダウンによって複数の指定項目が表示され、いずれかの指定項目を選択する。指定項目欄８ｃは、条件式毎に設けられている。
それぞれの用語指定欄８ａ、例えば「集合Ｎｏ．０２」として用語指定欄８ａに入力されている「方向性」と「目標方向」と「打球方向」とは、ＡＮＤ条件かＯＲ条件かを指定することができる。ステップ１５では、ＡＮＤ条件かＯＲ条件かを指定する。
ステップ１１からステップ１５までの入力及び指定が終了すると第１内容判別文字に対する入力及び指定が完了する。
【００２１】
ステップ１６において、他の内容判別文字を入力する場合には、ステップ１１に戻って第２内容判別文字に対する入力を行う。
ステップ１６において、他の内容判別文字を入力しない場合には、内容判別文字の入力が完了する。
異なる条件式となる内容判別文字の入力が完了すると、論理式として用いる条件を特許情報データベース１１に記憶する（ステップ１７）。
ステップ１７において条件を記憶した後に、処理開始指示を行う（ステップ１８）。
ステップ１８における処理開始指示は、図６に示す処理実行表示８ｆを指示することで行う。
ステップ１８において処理開始指示が行われると、この論理式で用いる条件となる内容判別文字を、内容判別文字検索部４１で検索する（ステップ１９）。
ステップ１９における内容判別文字の検索は、案件毎に行われる。
ステップ２０におけるハイライト表示処理は、特許情報データベース１１に登録された条件式別の内容判別文字と着色の情報を用い、特許情報データベース１１に登録されたそれぞれの案件データ中の該当文字に着色表示の処理を行う。
【００２２】
ステップ２１では、ステップ１９で内容判別文字を検索した案件について、文章区切り判別部４３で段落記号を判別する。
ステップ２２では、ステップ２１で判別した段落記号で区分けされた文にハイライト付与文字が含まれているか否かを表示判断部４４で判断し、ハイライト付与文字が含まれていないと表示判断部４４で判断した段落記号で区分けされた文を非表示設定部４５で非表示設定する。
【００２３】
ステップ１９からステップ２２までの処理が行われると、案件データ別に、ハイライト付与文字が表示されるとともに、非表示設定部４５で非表示が設定された段落記号は折り畳まれ（非表示）、特許明細書データが表示される（ステップ２３）。すなわち、表示手段３０では、案件データ別に、ハイライト付与文字が含まれていると表示判断部４４で判断した段落記号で区分けされた文を表示するとともに、ハイライト表示処理部４２で着色を付与されたハイライト付与文字を表示する。
ステップ２３での表示では、案件データについて、ハイライト付与文字によって、内容判別文字を把握できるとともに、ハイライト付与文字が含まれていない文を非表示としているので、特に長文の特許情報データに対してチェックしたい文だけを確認することができる。
非表示とした段落記号を表示させたい場合には、ステップ２４において入力手段２０から表示指示を行う。
ステップ２４で表示指示が行われた場合には、非表示解除部４６で表示指示された文を表示する（ステップ２５）。
ステップ２３またはステップ２５の表示状態において、検索条件として新たに内容判別文字を入力することができ（ステップ１６）、新たに内容判別文字を入力した場合、または既に登録している内容判別文字を削除した場合にはステップ１７からステップ２１までの処理が行われ、特許明細書データが表示される（ステップ２３）。
【００２４】
図７はステップ２３の表示画面のイメージ図、図８は非表示
を一部解除した状態でのステップ２５の表示画面のイメージ図である。なお、図７および図８では、第１ハイライト付与文字を「評価進捗率」とし、第２ハイライト付与文字を「マトリクス画面編集処理部」とした場合で、段落記号で区分けされた文に第１ハイライト付与文字と第２ハイライト付与文字との双方を含む場合を表示し、第１ハイライト付与文字および第２ハイライト付与文字のいずれも含まれていないか、第１ハイライト付与文字および第２ハイライト付与文字のいずれかしか含まれていないと判断した段落記号で区分けされた文を非表示としている。説明の都合で図７では段落記号（００１０）〜（００１６）の途中までを、図８では段落記号（００１４）〜（００３０）を示している。
【００２５】
図７に示すように、ステップ２３の表示画面では、第１ハイライト付与文字である「評価進捗率」と第２ハイライト付与文字である「マトリクス画面編集処理部」との双方を含む段落記号（００１４）、（００１６）が、これらの段落記号（００１４）、（００１６）で区分けされた文とともに表示され、それ以外の段落記号（００１０）〜（００１３）、（００１５）で区分けされた文は非表示となっている。
なお、文を非表示とする段落記号（００１０）〜（００１３）、（００１５）については、これらの段落記号（００１０）〜（００１３）、（００１５）についても全て非表示としてもよいが、文を非表示とする段落記号（００１０）〜（００１３）、（００１５）について、一部の段落記号（００１０）、（００１５）だけを表示してもよい。更に、文を表示している段落記号（００１４）、（００１６）については、文の表示を示す表示記号（図では▲）を、文を非表示としている段落記号（００１０）、（００１５）については、文の非表示を示す非表示記号（図では▼）を表示することが好ましい。
このように、表示記号（図では▲）と非表示記号（図では▼）とを表示するとともに、表示記号（図では▲）と非表示記号（図では▼）とを操作部とし、操作部を指示することで、表示と非表示との切り替えを行うこともできる。
【００２６】
図８では、段落記号（００１５）を表示させた状態を示している。段落記号（００１５）を操作部としている場合には、段落記号（００１５）を指示することで、または図７に示す段落記号（００１５）に表示させた非表示記号（図では▼）を指示することで、段落記号（００１５）で区切られた文が表示される。図８に示すように、段落記号（００１５）の文が表示されると、図７に示す非表示記号（図では▼）は表示記号（図では▲）となる。
【００２７】
このように、ステップ２３の表示画面では、ハイライト付与文字が含まれていない文を折り畳んで非表示としているので、特に長文の特許情報データに対してチェックしたい文だけを確認することができ、ステップ２５の表示画面では、非表示とした文を表示させることで前後の文を含めた内容理解を行うことができる。
【００２８】
以下に、本発明の情報処理装置の他の実施例について説明する。
図９は本発明の他の実施例における情報処理装置の機能実現のためのブロック図、図１０は同実施例における情報処理装置の処理流れの一部を示すフローチャートであり図３に相当する。なお、同一機能の構成には同一符号を付し、同一処理には同一ステップ番号を付して説明を省略する。
本実施例における情報処理装置は、図９に示すように、更に句点、改行、行間、および罫線のいずれかを文章区分として段落記号を付与する文章区切り部４７を有している。
そして、図１０に示すように、ステップ２１における段落記号の判別に先立って、文章区切り部４７で文章区切り処理を行う（ステップ２６）。
本実施例では、段落記号があらかじめ付与されていない特許情報に対してもハイライト付与文字が含まれていない文を非表示とすることができる。
なお、本実施例では、文章区切り部４７を設けたが、図１に示す文章区切り判別部４３が段落記号を判別する代わりに、特許情報データに含まれている、句点、改行、行間、および罫線のいずれかによって文章区分を判別してもよい。
【００２９】
本実施例では、設定したテーマに基づく案件データを収集した特許情報データを特許情報データベース１１に蓄積し、着色を付与したい内容判別文字を入力手段２０から入力し、内容判別文字に対して着色を付与して特許情報データを表示手段３０で表示する情報処理装置として説明したが、句点によって分けられた文が複数含まれ、まとまった思想、感情、またはテーマを表現した文章データに対し、着色を付与したい内容判別文字を入力手段２０から入力し、内容判別文字に対して着色を付与して文章データを表示手段３０で表示する情報処理装置としても適用できる。
このような文章データに対しては、文章区切り判別部４３では、文章データに含まれている、句点、改行、行間、罫線、および段落記号のいずれかによって文章区分を判別する。または、文章区切り部４７によって、文章データに含まれている、句点、改行、行間、および罫線のいずれかを文章区分として段落記号を付与し、文章区切り部４７で付与した段落記号を文章区切り判別部４３で判別してもよい。
【産業上の利用可能性】
【００３０】
本発明は、国内における特許公報だけなく、中国や米国などの外国の特許公報についても利用でき、更には論文などの文章データに対しても適用できる。
【符号の説明】
【００３１】
１０  情報データベース
１１  特許情報データベース
１３  管理情報データベース
２０  入力手段
３０  表示手段
４０  処理手段
４１  内容判別文字検索部
４２  ハイライト表示処理部
４３  文章区切り判別部
４４  表示判断部
４５  非表示設定部
４６  非表示解除部
４７  文章区切り部
【図１】
0006604024.tif 000002
【図２】
0006604024.tif 000003
【図３】
0006604024.tif 000004
【図４】
0006604024.tif 000005
【図５】
0006604024.tif 000006
【図６】
0006604024.tif 000007
【図７】
0006604024.tif 000008
【図８】
0006604024.tif 000009
【図９】
0006604024.tif 000010
【図１０】
0006604024.tif 000011